(57)【要約】【課題】採光効率を劣化させずに、外観を損ねることがなく、かつ室内から室外を鮮明に見れるようにする。【解決手段】ウインドウフィルム１は、一方の面に沿って離隔して配置された複数の溝が形成されたベース部７と、ベース部の複数の溝に形成されかつベース部とは異なる光学特性を示す複数のルーバー部９とを有する光制御層１１を備える。光制御層は、それぞれ複数のルーバー部が存在する第１領域および第２領域を有し、第２領域の可視光透過率が、第１領域の可視光透過率よりも高い。【選択図】図１
2014238512.tif 000002
【特許請求の範囲】
【請求項１】
一方の面に沿って離隔して配置された複数の溝が形成されたベース部と、前記ベース部の前記複数の溝に形成されかつ前記ベース部とは異なる光学特性を示す複数のルーバー部とを有する光制御層を備えたウインドウフィルムであって、
前記光制御層は、それぞれ複数のルーバー部が存在する第１領域および第２領域を有し、第２領域の可視光透過率が、第１領域の可視光透過率よりも高いことを特徴とするウインドウフィルム。
【請求項２】
前記第２領域は、ウインドウフィルムの端部に接する領域に配置されることを特徴とする請求項１に記載のウインドウフィルム。
【請求項３】
前記第２領域は、ウインドウフィルムの端部よりも内側に配置され、前記第２領域と前記端部との間にルーバー部が存在しないことを特徴とする請求項１に記載のウインドウフィルム。
【請求項４】
前記第１領域と前記第２領域との間に、可視光透過率が前記第１領域よりも高くかつ前記第２領域よりも低い第３領域が存在することを特徴とする請求項１乃至請求項３のいずれか一項に記載のウインドウフィルム。
【請求項５】
前記第２領域は、前記光制御層の全領域の２％以上であることを特徴とする請求項１乃至請求項４のいずれか一項に記載のウインドウフィルム。
【請求項６】
前記第２領域は、前記光制御層の全領域の５０％以下であることを特徴とする請求項１乃至請求項４のいずれか一項に記載のウインドウフィルム。
【請求項７】
前記第２領域に存在するルーバー部の平均体積は、前記第１領域に存在するルーバー部の平均体積よりも少ないことを特徴とする請求項１乃至請求項６のいずれか一項に記載のウインドウフィルム。
【請求項８】
前記第２領域に存在するルーバー部の体積が段階的に小さくなっていることを特徴とする請求項１乃至請求項７のいずれか一項に記載のウインドウフィルム。
【請求項９】
前記第２領域に存在するルーバー部の平均高さは、前記第１領域に存在するルーバー部の平均高さよりも低いことを特徴とする請求項１乃至請求項８のいずれか一項に記載のウインドウフィルム。
【請求項１０】
前記第２領域に存在するルーバー部の高さが、段階的に低くなっていることを特徴とする請求項１乃至請求項９のいずれか一項に記載のウインドウフィルム。
【請求項１１】
前記第２領域に存在するルーバー部の平均幅は、前記第１領域に存在するルーバー部の平均幅よりも狭いことを特徴とする請求項１乃至請求項１０のいずれか一項に記載のウインドウフィルム。
【請求項１２】
前記第２領域に存在するルーバー部の幅が、段階的に狭くなっていることを特徴とする請求項１乃至請求項１１のいずれか一項に記載のウインドウフィルム。
【請求項１３】
前記第２領域に存在するルーバー部どうしの平均間隔は、前記第１領域に存在するルーバー部どうしの平均間隔よりも広いことを特徴とする請求項１乃至請求項１２のいずれか一項に記載のウインドウフィルム。
【請求項１４】
前記第２領域に存在するルーバー部どうしの間隔が、段階的に広がっていることを特徴とする請求項１乃至請求項１３のいずれか一項に記載のウインドウフィルム。
【請求項１５】
請求項１乃至請求項１４のいずれか一項のウインドウフィルムが積層された採光具。
【請求項１６】
請求項１乃至請求項１４のいずれか一項のウインドウフィルムが積層された窓。
【発明の詳細な説明】
【技術分野】
【０００１】
本発明は、窓または採光具に積層することが可能なウインドウフィルムに関する。
【背景技術】
【０００２】
窓から入射された太陽光を、屋内照明に有効利用する種々のアイデアが提案されている。自然光をできるだけ室内に採り込んで室内照明に利用することで、室内の照明光の使用時間を削減でき、また照明光の照明強度も弱めることができることから、二酸化炭素の消費量とエネルギー消費の削減が図れる。
【０００３】
特許文献１には、同一平面上に多数のプリズム部を有する板状の採光用光学素子を建物の開口部に設け、臨界仰角未満の太陽光はプリズム部を透過させ、臨界仰角以上の太陽光はプリズム部で全反射させる技術が開示されている。
【０００４】
また、特許文献２には、シート内の光透過性部の合間に、一方向に所定間隔で遮光部を設ける技術が開示されている。
【先行技術文献】
【特許文献】
【０００５】
【特許文献１】特開２００３−１５７７０７号公報
【特許文献２】特開２０１０−２５９４０６号公報
【発明の概要】
【発明が解決しようとする課題】
【０００６】
特許文献１では、プリズム部で光が屈折されるため、室内側からプリズム部を通して室外を見たときに、不鮮明に見えてしまうという問題がある。
【０００７】
また、特許文献２の光制御シートを窓に貼った場合、特許文献１よりも室内側から室外を鮮明に見ることができるが、光制御シートを貼っている部分と貼っていない部分で可視光の透過率が異なるため、光制御シートの輪郭がはっきりと視認されてしまい、外観を損ねるという問題がある。
【０００８】
本発明は、上述した問題点に鑑みてなされたものであり、採光効率を劣化させずに、外観を損ねることがなく、かつ室内から室外を鮮明に見ることが可能なウインドウフィルムを提供するものである。
【課題を解決するための手段】
【０００９】
上記の課題を解決するために、本発明の一態様は、一方の面に沿って離隔して配置された複数の溝が形成されたベース部と、前記ベース部の前記複数の溝に形成されかつ前記ベース部とは異なる光学特性を示す複数のルーバー部とを有する光制御層を備えたウインドウフィルムであって、
前記光制御層は、それぞれ複数のルーバー部が存在する第１領域および第２領域を有し、第２領域の可視光透過率が、第１領域の可視光透過率よりも高い。
【００１０】
前記第２領域は、ウインドウフィルムの端部に接する領域に配置されていてもよい。
【００１１】
前記第２領域は、ウインドウフィルムの端部よりも内側に配置され、前記第２領域と前記端部との間にルーバー部が存在しなくてもよい。
【００１２】
前記第１領域と前記第２領域との間に、可視光透過率が前記第１領域よりも高くかつ前記第２領域よりも低い第３領域が存在してもよい。
【００１３】
前記第２領域は、前記光制御層の全領域の２％以上であってもよい。
【００１４】
前記第２領域は、前記光制御層の全領域の５０％以下であってもよい。
【００１５】
前記第２領域に存在するルーバー部の平均体積は、前記第１領域に存在するルーバー部の平均体積よりも少なくてもよい。
【００１６】
前記第２領域に存在するルーバー部の体積が段階的に小さくなっていてもよい。
【００１７】
前記第２領域に存在するルーバー部の平均高さは、前記第１領域に存在するルーバー部の平均高さよりも低くてもよい。
【００１８】
前記第２領域に存在するルーバー部の高さが、段階的に低くなっていてもよい。
【００１９】
前記第２領域に存在するルーバー部の平均幅は、前記第１領域に存在するルーバー部の平均幅よりも狭くてもよい。
【００２０】
前記第２領域に存在するルーバー部の幅が、段階的に狭くなっていてもよい。
【００２１】
前記第２領域に存在するルーバー部どうしの平均間隔は、前記第１領域に存在するルーバー部どうしの平均間隔よりも広くてもよい。
【００２２】
前記第２領域に存在するルーバー部どうしの間隔が、段階的に広がっていてもよい。
【００２３】
上述したいずれかのウインドウフィルムが積層された採光具を構成してもよい。
【００２４】
上述したいずれかのウインドウフィルムが積層された窓を構成してもよい。
【発明の効果】
【００２５】
本発明によれば、採光効率を劣化させずに、外観を損ねることがなく、かつ室内から室外を鮮明に見ることが可能なウインドウフィルムを提供できる。
【図面の簡単な説明】
【００２６】
【図１】本発明の第１の実施形態に係るウインドウフィルム１の断面構造を示す図。
【図２】図１のウインドウフィルム１を窓２の一部に積層した場合の外観を模式的に示す図。
【図３】一比較例に係るウインドウフィルム１の断面構造を示す図。
【図４】一比較例に係るウインドウフィルム１の外観を模式的に示す図。
【図５】窓の一部にウインドウフィルムを積層した例を示す図。
【図６】図５の変形例を示す図。
【図７】本発明の第２の実施形態に係るウインドウフィルム１の断面構造を示す図。
【図８】本発明の第３の実施形態に係るウインドウフィルム１の断面構造を示す図。
【発明を実施するための形態】
【００２７】
以下、本発明の実施の形態について、詳細に説明する。
【００２８】
（第１の実施形態）
図１は本発明の第１の実施形態に係るウインドウフィルム１の断面構造を示す図である。図１に示すように、第１の実施形態に係るウインドウフィルム１は、例えば窓や採光具２に積層して用いられる。図１のウインドウフィルム１は、基材層３の上に配置される光制御層４と、光制御層４の上に配置される接着層５と、基材層３の下に配置されるハードコート層６とを備えている。このウインドウフィルム１は、接着層５を介して窓または採光具２に積層することが可能である。なお、ウインドウフィルム１は、一対の窓の間に支持されて積層されてもよく、このような場合には接着層５や基材層３は設けなくてもよい。
【００２９】
光制御層４は、その一方の面に沿って離隔して配置された複数の溝８が形成されたベース部７と、ベース部７の複数の溝８に形成されてかつベース部７とは異なる光学特性を示す複数のルーバー部９とを備えている。ベース部７とルーバー部９との光学特性が異なることで、ウインドウフィルム１に様々な光制御機能を付与することができる。例えば、ルーバー部９の屈折率をベース部７の屈折率よりも低くすることで、ルーバー部９とベース部７の界面で全反射させ、窓から入射された太陽光を屋内の天井付近に導く光偏向機能を付与することができる。また、ルーバー部９の紫外光、可視光、赤外光などの吸収率や反射率をベース部７よりも高くすることで、太陽光の入射角に応じた光遮蔽機能を付与することができる。また、ルーバー部９の発光率をベース部７よりも高くすることで、指向性発光機能を付与することができる。
【００３０】
光制御層４は、それぞれ複数のルーバー部９が存在する第１領域１０および第２領域１１を有し、そして、一方の表面４ａ側から可視光が入射されたときに、光制御層４の一部の第２領域１１の可視光透過率が、光制御層４の他の一部の第１領域１０の可視光透過率よりも高くなっている。なお、透過率は、角度分解型分光光度計（例えば、村上色彩技術研究所製の変角分光測色システムＧＣＭＳ４、測定面積が約８ｍｍ×約１６ｍｍ）を用いて、サンプル（例えば、１０ｃｍ×１０ｃｍ）の表面側の法線方向（０度方向）から入射した光を裏面側の法線方向（１８０度方向）で受光して測定する。可視光とは、波長範囲が３８０ｎｍから７８０ｎｍの光である。
【００３１】
具体的には、ベース部７では、光制御層４の一方の面４ａに沿った第１方向Ｘに、それぞれが第１方向Ｘに交差する第２方向Ｙに延びる複数の溝８が母材に形成されている。溝８の幅方向および間隔方向が第１方向Ｘで、溝８の深さ方向が第２方向Ｙである。複数の溝８のそれぞれには、ベース部７の母材とは光学特性が異なる充填物が充填されており、これによりルーバー部９が形成されている。ルーバー部９の幅方向および間隔方向が第１方向Ｘで、ルーバー部９の高さ方向が第２方向Ｙである。光学特性とは、例えば、反射特性、吸収特性、透過特性、屈折特性、および発光特性が挙げられ、これらの少なくとも一つが異なっていればよい。
【００３２】
このように、光制御層４は、ベース部７と、ベース部７の一方の面４ａ方向に離隔して配置される複数のルーバー部９とを有する。第１領域１０には、複数のルーバー部９が存在しており、第２領域１１にも、複数のルーバー部９が存在している。なお、第１領域１０と第２領域１１とは、所望の光制御機能が異なっていてもよい。
【００３３】
本実施形態では、複数のルーバー部９を第１方向Ｘに例えば一定の間隔で配置しており、複数のルーバー部９の第１方向Ｘの幅も略同一にしている。一方、複数のルーバー部９の第２方向Ｙの高さ、すなわち溝８の深さは、一定ではない。より具体的には、光制御層４には、第２方向Ｙの高さが略同一の複数のルーバー部９を一定の間隔で配置した第１領域１０と、第２方向Ｙの高さが段階的に低くなる複数のルーバー部９を一定の間隔で配置した第２領域１１とが設けられている。これにより、第２領域１１のルーバー部の平均体積は、第１領域１０のルーバー部の平均体積よりも少なくなる。そして、充填物の材料として、ベース部７よりも可視光透過率の低い材料を選択すれば、領域内の充填物の割合の少ない第２領域１１の可視光透過率を、領域内の充填物の割合の多い第１領域１０の可視光透過率よりも高くすることができる。
【００３４】
図１の例では、第２領域１１内では、ルーバー部９の第２方向Ｙの高さが１つずつ徐々に低くなる例を示しているが、必ずしも隣接するルーバー部９の高さが相違しているとは限らない。隣接する複数のルーバー部９の高さを同じにしたものを一つのグループとし、グループ単位で、ルーバー部９の高さを徐々に低くしてもよい。すなわち、第１領域１０の全体と第２領域１１の全体とを比較したときに、第２領域１１内のルーバー部９の平均的な高さを、第１領域１０内のルーバー部９の平均的な高さよりも低くすればよい。ただし、第２領域１１の周囲に、下地の窓や採光具２を露出させる場合は、第２領域１１と窓や採光具２との境目が目立たないように、この境目に近いほど、第２領域１１内の可視光透過率を高くするのが望ましい。また、第１領域１０と第２領域１１との境目を目立たなくするには、この境目に近い側では、第２領域１１内の可視光透過率を第１領域１０の可視光透過率にできるだけ近づけるのが望ましい。また、第１領域１０内のルーバー部９は、必ずしも略同一の間隔で配置されていなくてもよい。
【００３５】
このように、第２領域１１は、第１領域１０と窓や採光具２との間に配置され、第１領域１０との境目、および窓や採光具２との境目の両方を目立たなくさせる必要があることから、望ましくは、第２領域１１内では、第１領域１０に近い側から窓や採光具２に近い側にかけて、可視光透過率を徐々に高くするのがよい。そこで、図１では、第２領域１１内のルーバー部９の高さを、窓や採光具２に近づくにつれて、段階的に低くしている。
【００３６】
第１領域１０と第２領域１１の割合は、例えば、ウインドウフィルム１の９８％以下を第１領域１０とし、残りを第２領域１１とすることが考えられる。具体的には、１ｍ×１ｍのウインドウフィルムで対向する２辺の端部からそれぞれ１ｃｍ以上ずつ内側までの領域を第２領域として、残りを第１領域とすることが考えられる。第１領域１０は、第２領域１１よりも単位体積当たりの充填物の割合が多く、ウインドウフィルム１としての本来の機能（例えば、採光、遮光、熱線吸収など）を果たすものであり、第１領域１０が１０％を切るのは望ましくない。好ましくは５０％以上、より好ましくは７５％以上である。その一方で、第２領域１１は、下地の窓や採光具２との境目をできるだけ目立たせなくすることを目的とした領域であり、第２領域１１が２％を切ると、第２領域１１を間に挟んで配置される第１領域１０と下地の窓や採光具２との距離が接近し、第２領域１１と下地の窓や採光具２との境目が目立ちやすくなるおそれがある。そのため、第２領域１１は、ウインドウフィルム１の好ましくは２％以上、より好ましくは５％以上である。また、第２領域１１は、大き過ぎるとウインドウフィルム１としての本来の機能を果たす第１領域１０が狭くなってしまうので、５０％以下であることが好ましく、より好ましくは２５％以下である。
【００３７】
図２は図１のウインドウフィルム１を窓２の一部に積層した場合の外観を模式的に示す図である。図２には、縦横に複数の窓２がある建物の外観を示しており、それぞれの窓２には、上端から下方の所定の高さまでウインドウフィルム１を積層して、窓２の下側にはウインドウフィルム１が積層されていない例を示している。ウインドウフィルム１の第１領域１０は窓２の上側に配置され、その下側に第２領域１１が配置されるが、上述したように、第２領域１１は第１領域１０よりも可視光透過率が高く、しかも、第２領域１１内の下側ほどルーバー部９の高さが低くなっているため、第２領域１１の下側ほど、より可視光透過率が高くなり、ウインドウフィルム１の下端部と窓２との境目はほとんど目立たなくなる。また、図示していないが、第２領域１１をウインドウフィルム１の端部よりも内側に配置して、第２領域１１とウインドウフィルム１の端部との間にルーバー部９が存在しないようにすることで、第２領域１１と窓２との境目をさらに目立たなくすることができる。
【００３８】
これに対して、図３は一比較例に係るウインドウフィルム１の断面構造を示す図、図４は一比較例に係るウインドウフィルム１の外観を模式的に示す図である。図３のウインドウフィルム１は、図１のウインドウフィルム１と同一サイズとし、図４では、図２と同じ大きさの窓２の上部側に図３のウインドウフィルム１を積層した場合の外観を示している。
【００３９】
図３のウインドウフィルム１は、同じ深さの溝８が一定間隔で全面領域に形成されているため、その可視光透過率はウインドウフィルム１の全面にわたって同一であり、ウインドウフィルム１の下端とウインドウとの境界線がはっきりと視認されてしまい、ウインドウフィルム１が積層されていることがわかってしまい、外観を損ねてしまう。
【００４０】
鉛直方向に配置される窓２の場合、室内にいる人間の目線が届きにくい窓２の上側を採光目的で利用して、人間の目線が届きやすい窓２の下側は室内から室外を見やすくするのが望ましい。そこで、例えば、窓２の上端から下方の所定の高さまでウインドウフィルム１を積層して、人間の目線が届く領域にはウインドウフィルム１を積層しないようにするか、あるいは、人間の目線が届く領域ではウインドウフィルム１の可視光透過率を高くすることが考えられる。そこで、一例として、図１のように可視光透過率が互いに異なる第１領域１０と第２領域１１を有するウインドウフィルム１を用意して、第１領域１０を窓２の上側に配置し、その下側に第１領域１０よりも可視光透過率の高い第２領域１１を配置することが考えられる。第１領域１０は、第２領域１１よりも、単位体積当たりの充填物の量が多いため、充填物が光反射性に優れた材料であれば、入光面から溝８の側面に入光された光をより多く斜め上方に反射させて、室内の天井に導くことができ、採光効率を向上できる。なお、窓２の上端から下方の所定の高さまでウインドウフィルム１を積層する場合、室内の下方から窓２を通して屋外を見上げたときの透過率も重要であり、光制御層４の一方の表面４ａの第１領域に入光された可視光の斜め方向へ出射された光の透過率が、一方の表面４ａの第２領域に入光された可視光の斜め方向へ出射された光の透過率とは異なっていることも好ましい。斜め方向へ出射された光の透過率は、角度分解型分光光度計（例えば、村上色彩技術研究所製の変角分光測色システムＧＣＭＳ４、測定面積が約８ｍｍ×約１６ｍｍ）を用いて、サンプル（例えば、１０ｃｍ×１０ｃｍ）の表面側の斜め方向（例えば、３０度方向）から入射した光を裏面側の法線方向（例えば、１２０度方向）で受光して測定する。
【００４１】
なお、第１領域１０内の溝８に充填される充填物と、第２領域１１内の溝８に充填される充填物とは、必ずしも同じ材料である必要はない。第２領域１１の充填物の材料として、第１領域の充填物の材料よりも可視光透過率よりが高いものを選択することで、第２領域の可視光透過率を第１領域よりも高くすることができる。
【００４２】
例えば、ウインドウフィルム１にベース部７とルーバー部９の屈折率差による光偏向機能を付与する場合に、反射されなかった光を遮蔽するために、ルーバー部９に無機粒子材やミラー材などの光反射材や光吸収材を含有させることが考えられる。この場合に、第２領域１１の充填物に含有させる光反射材や光吸収材の量を第１領域１０の充填物よりも少なくすることができる。また、ウインドウフィルム１に光遮蔽機能を付与する場合にも、ルーバー部９に、赤外光吸収材、紫外光吸収材、可視光吸収材などの光吸収材を含有させることが考えられる。この場合に、第２領域１１の充填物に含有させる光吸収材の量を第１領域１０の充填物よりも少なくすることができる。また、ウインドウフィルム１の第２領域１１の充填物に含有させる蓄光発光材の量を第１領域１０の充填物よりも少なくすることができる。
【００４３】
なお、図１では、ルーバー部９の高さが略同一の第１領域１０と、ルーバー部９の高さが徐々に低くなる第２領域１１との２つの領域を鉛直方向に設ける例を示したが、第１領域１０と第２領域１１を左右方向に配置してもよい。また、図５に示すように、窓や採光具２の端部よりも内側にウインドウフィルム１を積層して、上端、下端、左端、右端の少なくとも一つにおいて、下地の窓や採光具２が露出されるようにしてもよい。いずれの場合も、下地の窓や採光具２との境目に沿った領域には、充填物の割合の少ない第２領域１１を配置すればよい。図５のように、ウインドウフィルム１と、下地の窓や採光具２との境界辺が複数ある場合には、第２領域１１は、必ずしも矩形領域にはならない。
【００４４】
また、図６に示すように、ウインドウフィルム１の端部を除く第１領域１０に、下地の窓や採光具２が露出される領域を設けてもよい。この場合、ウインドウフィルム１内に、第２領域１１が分散して複数個設けられることになる。
【００４５】
さらに、ウインドウフィルム１に、可視光透過率がそれぞれ異なる３つ以上の領域を設けてもよい。例えば、第１領域１０の可視光透過率よりも高く、第２領域１１の可視光透過率よりも低い、第３領域を設けることで、第１領域１０と第２領域１１の境目を目立たなくすることができる。さらに、第１領域１０と第３領域の間や第３領域と第２領域１２の間に第４領域を設けるなどして、可視光透過率を段階的に高くすることで、それぞれの境目をよりいっそう目立たなくさせることもできる。
【００４６】
次に、第１の実施形態に係る光制御シートの構成材料および製造工程について説明する。ベース部７の組成物としては、例えば、光硬化性プレポリマーと、反応性希釈モノマーと、金型離型剤と、光重合開始剤とを混合して均一化したものが用いられる。基材としては、例えばＰＥＴ（ポリエチレンテレフタレート）フィルムが用いられる。
【００４７】
ベース部７に、図１に示すような溝８を形成するために、例えば金型ロールが用いられる。金型ロールの表面は、溝８の形状に合わせてバイトにより切削されて、各溝８の形状に対応する複数の凸部が形成される。このとき、第２領域１１に対応する凸部の高さは、第２領域１１の端側ほど低くなるように加工される。
【００４８】
凸部が形成された金型ロールとニップロールの間に基材が搬送されて、基材層３の上に上述したベース部７の組成物が供給される。そして、金型ロールとニップロールの押圧力により、基材層３と金型ロールとの間にベース部７の組成物を充填し、その後、基材層３の方向から高圧水銀灯により紫外線を照射してベース部７の組成物を硬化させて、ベース部７が形成される。その後、剥離ローラにより、金型ローラからベース部７を離型し、ベース部７を含む中間部材を作製する。
【００４９】
ベース部７の溝８に充填される充填物として、例えば、光硬化性プレポリマーと、反応性希釈モノマーと、光散乱材と、光重合開始剤とを混合して均一化したものが用いられる。
【００５０】
上述した組成の充填物は、中間部材上に供給されて、溝８の内部に充填されるとともに、余剰分の充填物は掻き落とされる。その後、高圧水銀灯により紫外線を照射して硬化させて、ルーバー部９が形成される。ルーバー部９は、例えば図１に示すように、その高さが徐々に低下するようなグラデーション構造を持っていてもよい。
【００５１】
接着層５の組成物は、例えば、アクリル系樹脂の粘着材と、架橋剤と、希釈剤とを混合して形成される。この接着剤の組成物を離型フィルムに塗布して乾燥させた後、光制御層４に貼り合わされる。
【００５２】
このように、第１の実施形態では、ウインドウフィルム１の第２領域１１の可視光透過率を第１領域１０の可視光透過率よりも低くしているため、例えば第２領域１１を窓２との境界側に配置して、かつ第２領域１１の可視光透過率を第１領域１０の可視光透過率よりも高くすれば、第２領域１１と窓２との境目が目立ちにくくなり、窓２の一部にウインドウフィルム１を積層しても、窓全体としての外観を損ねなくなる。特に、第２領域１１内の可視光透過率を、第１領域１０側から窓２との境界側にかけて徐々に可視光透過率を高くするようにすれば、窓２の一部にウインドウフィルム１が積層されていることがわかりづらなくなり、外観上の違和感がなくなる。
【００５３】
なお、上述したように、第２領域１１は、第１領域１０よりも可視光透過率を高めるため、光制御機能の点では第１領域１０よりも低下するおそれがあるが、光制御機能の要求性能に応じて、第１領域１０と第２領域１１とのウインドウフィルム１における割合を調節すればよい。また、第１領域１０や第２領域１１の間に第３領域や第４領域などを設けて調整することもできる。よって、本実施形態のウインドウフィルム１により、外光を室内に効率的に採り込むことができ、照明装置や空調設備の使用を抑制できるとともに、エネルギー消費と二酸化炭素の排出量を抑制できる。
【００５４】
（第２の実施形態）
光制御層４の第２領域における可視光透過率を第１領域における可視光透過率よりも高くするために、上述した第１の実施形態では、ルーバー部９の平均高さを調整したが、以下に説明する第２の実施形態では、ルーバー部９の平均幅を調整するものである。
【００５５】
図７は本発明の第２の実施形態に係るウインドウフィルム１の断面構造を示す図である。図７のウインドウフィルム１内の光制御層４は、第１の実施形態と同様に、可視光透過率が互いに異なる第１領域１０と第２領域１１とを備えており、第２領域１１内のルーバー部９の構造が第１の実施形態とは異なっている。
【００５６】
第２領域１１内のルーバー部９は、シート面の第１方向Ｘにおける幅が第１領域１０内のルーバー部９とは異なっている。より詳細には、第２領域１１内のルーバー部９は、第１領域１０と接する側と反対側に近づくにつれて、ルーバー部９の第１方向Ｘにおける幅を狭くしている。これにより、第２領域１１のルーバー部９の平均体積は、第１領域１０のルーバー部９の平均体積よりも少なくなり、第１の実施形態と同様に、第２領域１１の可視光透過率を第１領域１０の可視光透過率よりも高くすることができる。
【００５７】
図７のようなウインドウフィルム１を作製するには、金型をバイトで加工する際に、図７のルーバー部９の間隔および幅に見合った溝８を金型のメッキ層に形成すればよい。
【００５８】
なお、第１方向Ｘに並んだ第２領域１１内の各ルーバー部９は、１本ずつ徐々に幅を狭くする必要はない。第１の実施形態と同様に、第２領域１１内の複数のルーバー部９を複数のグループに分けて、各グループ単位で、幅を徐々に狭くしてもよい。
【００５９】
また、図７では、台形状のルーバー部９の上底と下底のいずれの長さも徐々に狭くして、結果として、ルーバー部９の間隔を徐々に狭くする例を示しているが、例えば、図８に示すように、間隔を変えずに、基材層３側の下底の幅だけを徐々に狭くしてもよい。
【００６０】
このように、第２の実施形態では、ルーバー部９のシート面の第１方向Ｘに沿った方向の平均的な幅を調整することにより、ウインドウフィルム１内の第２領域１１の可視光透過率を第１領域１０の可視光透過率と相違させることができる。これにより、第２領域１１と窓２との境目が目立ちにくくなり、窓２の一部にウインドウフィルム１を積層しも、窓全体としての外観を損ねなくなる。
【００６１】
（第３の実施形態）
以下に説明する第３の実施形態は、ルーバー部９の平均間隔を調整することで、光制御層４の第２領域１１における可視光透過率を第１領域１０における可視光透過率よりも高くするものである。
【００６２】
図８は本発明の第３の実施形態に係るウインドウフィルム１の断面構造を示す図である。図８のウインドウフィルム１内の光制御層４は、第１の実施形態と同様に、可視光透過率が互いに異なる第１領域１０と第２領域１１とを備えており、第２領域１１内のルーバー部９の構造が第１および第２の実施形態とは異なっている。
【００６３】
第２領域１１内のルーバー部９は、シート面の第１方向Ｘにおける間隔が、第２領域１１と下地の窓や採光具２との境目に近づくほど広がっている。なお、間隔とは、隣り合うルーバー部９の接着層５との接触面の長さ、すなわち下底の中心位置同士の距離である。
【００６４】
図８のようなウインドウフィルム１を形成するには、金型をバイトで加工する際に、図８のルーバー部９の間隔に合わせて、金型のメッキ層にバイトで溝８を形成すればよい。
【００６５】
なお、第１方向Ｘに並んだ第２領域１１内の各ルーバー部９は、１本ずつ徐々に間隔を広げる必要はない。第１および第２の実施形態と同様に、第２領域１１内の複数のルーバー部９を複数のグループに分けて、各グループ単位で、間隔を徐々に広げてもよい。
【００６６】
このように、第３の実施形態では、ルーバー部９のシート面の第１方向Ｘに沿った方向の平均間隔を調整することにより、ウインドウフィルム１内の第２領域１１の可視光透過率を第１領域１０の可視光透過率と相違させることができる。これにより、第２領域１１と窓２との境目が目立ちにくくなり、窓２の一部にウインドウフィルム１を積層しても、窓全体としての外観を損ねなくなる。
【００６７】
上述した第１〜第３の実施形態で説明した第２領域１１内のルーバー部９の配置を、第１〜第３の実施形態を任意に組み合わせて実施してもよい。すなわち、第２領域１１内のルーバー部９は、第２方向Ｙの平均長さ、第１方向Ｘの平均幅、第１方向Ｘの平均間隔の少なくとも一つを変えて、可視光透過率の調整を行ってもよい。
【００６８】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【００６９】
１  ウインドウフィルム、２  窓または採光具、３  基材層、４  光制御層、５  接着層、６  ハードコート層、７  ベース部、８  溝、９  ルーバー部、１０  第１領域、１１  第２領域
【図１】
2014238512.tif 000003
【図３】
2014238512.tif 000004
【図７】
2014238512.tif 000005
【図８】
2014238512.tif 000006
【図２】
2014238512.tif 000007
【図４】
2014238512.tif 000008
【図５】
2014238512.tif 000009
【図６】
2014238512.tif 000010